(57)【要約】【課題】  床パネルの下方を点検する点検口を比較的簡単に設けることができ、また、パネル固定金具の設置作業負担を減らすことができるパネル固定金具、床構造、及び床施工方法を提供する。【解決手段】パネル固定金具１ａは、平行に並べられる複数本の水平下地材３に複数枚の床パネル４を互いに目地間隔を開けて並べた状態で固定するパネル固定金具１ａであって、前記水平下地材３に固定される固定部１２と、前記固定部１２の両側端から立ち上がる立ち上がり部１３と、前記立ち上がり部１３の上端に前記固定部１２と逆向きにそれぞれ突出する２つの平板部１４と、を備え、前記立上がり部１３が前記目地間隔よりも短い幅に形成されるとともに、前記立ち上がり部１３の幅方向における前記平板部１４の両側にそれぞれ延びて前記床パネル４の側面に形成された溝１７を係止する係止部１６を有する。【選択図】図１
2018199972.tif 000002
【特許請求の範囲】
【請求項１】
平行に並べられる複数本の水平下地材に複数枚の床パネルを互いに目地間隔を開けて並べた状態で固定するパネル固定金具であって、
前記水平下地材に固定される固定部と、前記固定部の両側端から立ち上がる立ち上がり部と、前記立ち上がり部の上端に前記固定部と逆向きにそれぞれ突出する２つの平板部と、を備え、
前記立ち上がり部が前記目地間隔よりも短い幅に形成されるとともに、
前記立ち上がり部の幅方向における前記平板部の両側からそれぞれ延びて前記床パネルの側面に形成された溝を係止する係止部を有することを特徴とするパネル固定金具。
【請求項２】
平行に並べられる複数本の水平下地材と、
矩形平板状に形成されており、平行な２つの側面にそれぞれ溝を有し、前記水平下地材の上に互いに目地間隔を開けて並べた状態で固定される複数枚の床パネルと、
前記水平下地材に固定される固定部と、前記固定部の両側端から立ち上がる前記目地間隔よりも短い幅の立ち上がり部と、前記立ち上がり部の上端に前記固定部と逆向きにそれぞれ突出する２つの平板部と、を有するパネル固定金具と、
を備えた床構造であって、
前記立ち上がり部が前記目地間隔よりも短い幅に形成されるとともに、
前記立ち上がり部の幅方向における前記平板部の両側にそれぞれ延びて前記溝を係止する係止部を有し、当該係止部がそれぞれ異なる前記床パネルの前記溝を係止して前記目地を形成することを特徴とする床構造。
【請求項３】
前記パネル固定金具は４枚の前記床パネルの角部同士の突合せ部に配置されており、前記係止部は、それぞれ異なる前記床パネルの前記溝を係止することを特徴とする請求項２に記載の床構造。
【請求項４】
前記水平下地材の上に前記床パネルと目地間隔を開けて並べて配置される点検用パネルを更に備えるとともに、
前記床パネルと前記点検用パネルとの突合せ部に、前記パネル固定金具の前記点検用パネル側の前記係止部を欠いて形成した点検部パネル固定金具が設けられることを特徴とする請求項２又は請求項３に記載の床構造。
【請求項５】
平行に並べられる複数本の水平下地材の上に、
前記水平下地材に固定される固定部と、前記固定部の両側端から立ち上がる立ち上がり部と、前記立ち上がり部の上端に前記固定部と逆向きにそれぞれ突出する２つの平板部と、前記立ち上がり部の幅方向における前記平板部の両側にそれぞれ延びて前記溝を係止する係止部と、を有するパネル固定金具を固定し、
前記パネル固定金具の両側に、側面に溝を有する矩形平板状の床パネルを配置し、それぞれの前記係止部に異なる前記床パネルの前記溝を係止して目地を形成することを特徴とする床施工方法。
【発明の詳細な説明】
【技術分野】
【０００１】
本発明は、ベランダ、バルコニー、又はテラスなどの屋外部の床面に敷設される床パネルを固定するパネル固定金具、当該パネル固定金具を用いた床構造、及び床施工方法に関する。
【背景技術】
【０００２】
従来より、ベランダ、バルコニー、又はテラスなどの屋外部の床構造は、それぞれ側面に長手方向に延びる溝を設けられた複数の床パネルを互いに平行に並んだ状態で支持材上に取り付けるパネル固定金具が知られいる。このようなパネル固定金具は、一枚の金属板を大略２つ折りにして、折り返し部が当該パネル固定金具の下端部を構成し、折り返し部の両側がそれぞれ上下方向に立ち上がる対向面部と、これらの対向面部から互いに離反する方向に突出する係止部と、を備えており、係止部がそれぞれの床パネルの溝に挿入されることで、床パネルを例えば根太などの支持材に固定されている（例えば特許文献１）。このような構成によると、防水床に直接固定するものではないので床パネルが防水床の熱伸縮に影響される不具合を抑制でき、また床パネルを支持材にビス固定するわけではないので、ビスが外部に露出することも防止できる。
【先行技術文献】
【特許文献】
【０００３】
【特許文献１】特開２０１１−２３６６９１号公報
【発明の概要】
【発明が解決しようとする課題】
【０００４】
ところで、敷設される床パネルの下方に配置されているドレン孔などを点検するために一部の床パネルを取り外し可能に構成したい場合があるが、上述のような構成では、一端固定された床パネルを取り外す作業は困難である。また、多数のパネル固定金具を支持材に固定する必要があり、作業負担が大きくなる。
【０００５】
そこで、本発明は、床パネルの下方を点検する点検口を比較的簡単に設けることができ、また、床パネルの設置作業負担を減らすことができるパネル固定金具、床構造、及び床施工方法を提供することを目的とする。
【課題を解決するための手段】
【０００６】
本発明のパネル固定金具は、平行に並べられる複数本の水平下地材に複数枚の床パネルを互いに目地間隔を開けて並べた状態で固定するパネル固定金具であって、前記水平下地材に固定される固定部と、前記固定部の両側端から立ち上がる立ち上がり部と、前記立ち上がり部の上端に前記固定部と逆向きにそれぞれ突出する２つの平板部と、を備え、前記立ち上がり部が前記目地間隔よりも短い幅に形成されるとともに、前記立ち上がり部の幅方向における前記平板部の両側にそれぞれ延びて前記床パネルの側面に形成された溝を係止する係止部を有することを特徴としている。
【０００７】
本発明の床構造は、平行に並べられる複数本の水平下地材と、矩形平板状に形成されており、平行な２つの側面にそれぞれ溝を有し、前記水平下地材の上に互いに目地間隔を開けて並べた状態で固定される複数枚の床パネルと、前記水平下地材に固定される固定部と、前記固定部の両側端から立ち上がる前記目地間隔よりも短い幅の立ち上がり部と、前記立ち上がり部の上端に前記固定部と逆向きにそれぞれ突出する２つの平板部と、を有するパネル固定金具と、を備えた床構造であって、前記立ち上がり部が前記目地間隔よりも短い幅に形成されるとともに、前記立ち上がり部の幅方向における前記平板部の両側にそれぞれ延びて前記溝を係止する係止部を有し、当該係止部がそれぞれ異なる前記床パネルの前記溝を係止して前記目地を形成することを特徴としている。
【０００８】
本発明の床構造は、前記パネル固定金具は４枚の前記床パネルの角部同士の突合せ部に配置されており、前記係止部は、それぞれ異なる前記床パネルの前記溝を係止することを特徴としている。
【０００９】
本発明の床構造は、前記水平下地材の上に前記床パネルと目地間隔を開けて並べて配置される点検用パネルを更に備えるとともに、前記床パネルと前記点検用パネルとの突合せ部に、前記パネル固定金具の前記点検用パネル側の前記係止部を欠いて形成した点検部パネル固定金具が設けられることを特徴としている。
【００１０】
本発明の床施工方法は、平行に並べられる複数本の水平下地材の上に、前記水平下地材に固定される固定部と、前記固定部の両側端から立ち上がる立ち上がり部と、前記立ち上がり部の上端に前記固定部と逆向きにそれぞれ突出する２つの平板部と、前記立ち上がり部の幅方向における前記平板部の両側にそれぞれ延びて前記溝を係止する係止部と、を有するパネル固定金具を固定し、前記パネル固定金具の両側に、側面に溝を有する矩形平板状の床パネルを配置し、それぞれの前記係止部に異なる前記床パネルの前記溝を係止して目地を形成することを特徴としている。
【発明の効果】
【００１１】
本発明のパネル固定金具によると、固定部が水平下地材に固定されることによってパネル固定金具が固定され、固定部の両側端から立ち上がる立ち上がり部が、床パネルの目地間隔よりも短い幅に形成されるとともに、立ち上がり部の幅方向における平板部の両側にそれぞれ延びる係止部が床パネルの側面に形成された溝を係止するので、立ち上がり部が干渉することなく床パネルの溝に係止部を係止することができる。
【００１２】
本発明の床構造によると、パネル固定金具の立ち上がり部が前記目地間隔よりも短い幅に形成されることで立ち上がり部が干渉することなく床パネルの溝に係止部を係止することができる。
【００１３】
本発明の床構造によると、パネル固定金具は４枚の床パネルの角部同士の突合せ部に配置されており、係止部は、それぞれ異なる床パネルの溝を係止するので、１つのパネル固定金具で４枚の床パネルの角部を係止することができ、水平下地材に固定するパネル固定金具の数を減らすことができ、床構造の材料コストや施工手間を低減することができる。
【００１４】
本発明の床構造によると、水平下地材の上に前記床パネルと目地間隔を開けて並べて配置される点検用パネルを更に備えるとともに、床パネルと点検用パネルとの突合せ部に、パネル固定金具の点検用パネル側の係止部を欠いて形成した点検部パネル固定金具が設けるので、単にパネル固定金具の係止部を欠いて形成するだけで点検口を設けることができる。
【００１５】
本発明の床施工方法によると、１つのパネル固定金具で４枚の床パネルを係止することができ、少ないパネル固定金具で床パネルを施工することができ、床パネルの設置作業負担を減らすことができる。
【図面の簡単な説明】
【００１６】
【図１】床構造の全体構成を示す断面図。
【図２】パネル固定金具の外観構成を示す斜視図。
【図３】パネル固定金具及び点検部パネル固定金具を用いて水平下地材に床パネル及び点検用パネルを配置する状態を示す平面図。
【図４】図３のＡ部、Ｂ部、及びＣ部拡大図。
【図５】パネル固定金具の１つの係止部を切断して点検部パネル固定金具を形成する状態を示す図。
【図６】パネル固定金具の２つの係止部を切断して点検部パネル固定金具を形成する状態を示す図。
【図７】水平下地材の最も建物側の端部に固定した端部用金具の水平突出片に床パネルの溝を係止する状態を示す図。
【図８】床パネルが設置されている側のパネル固定金具の係止部を床パネルの溝に挿入して床パネルの溝を係止する状態を示す図。
【図９】水平下地材に固定された最も建物側の床パネル４の隣に目地間隔を開けて隣接する床パネルを配置する状態を示す図。
【図１０】床パネルの係止されていない側の溝にパネル固定金具の係止部を挿入させつつ、パネル固定具を水平下地材に固定する状態を示す図。
【図１１】点検部パネル固定金具の係止部が床パネルの溝に挿入されるように水平下地材に固定するとともに、床パネルに隣接して点検用パネルを水平下地材の上に載置する状態を示す図。
【図１２】図１１の状態で、点検用パネルを持ち上げて点検口を形成する状態を示す図。
【発明を実施するための形態】
【００１７】
以下、本発明のパネル固定金具１、床構造２、及び床施工方法の最良の実施形態について、各図を参照しつつ説明する。図１に示すように、床構造２は、建物から突出する片持ちのバルコニーである。床構造２は、片持ちのバルコニーに限定されるものではなく、例えばベランダ、バルコニー、又はテラスなどの屋外部の床構造２であって、水平下地材３の上に複数の床パネル４が敷設される床構造２であればよい。
【００１８】
図１に示すように、床構造２は、建物の躯体に固定された受けプレート５によって支持される床フレーム６と、床フレーム６の上に固定される勾配床ユニット７と、勾配床ユニット７の上にバルコニーの突出端部と建物側端部とにそれぞれ設けられる大引き８と、バルコニーの突出方向を向いて２本の大引き８の上に架設される水平下地材３と、水平下地材３の上に目地間隔を開けて敷設される複数枚の床パネル４と、これら複数枚の床パネル４を水平下地材３に係止するためのパネル固定金具１と、を備えている。また、床構造２は、勾配床ユニット７の突出端部にドレイン管９が連通するドレイン口１０が設けられており、ドレイン口１０の上方には床パネル４と同一の構成で、水平下地材３に固定されない点検用パネル１１が配置されており、点検用パネル１１を取り外すことで、バルコニーの床上からドレイン口１０のメンテナンスを行うことができる。
【００１９】
水平下地材３は大引き８の上面に固定された鋼製の根太であり、パネル固定金具１を取り付ける位置に図示しないビス孔が形成されている。予めビス孔を設けておくことでパネル固定金具１を取り付ける位置を確認することができ、施工性を高めることができる。水平下地材３は平行に所定間隔で複数並べられて大引き８に固定されている。水平下地材３が並べられる間隔は床パネル４の長さと等しいことが好ましい。パネル固定金具１は、図２に示すように、金属製平板を折曲加工して形成した金具であり、水平下地材３に固定される固定部１２と、固定部１２の両側端から立ち上がる立ち上がり部１３と、立ち上がり部１３の上端に固定部１２と逆向きにそれぞれ突出する２つの平板部１４と、を備える。固定部１２はその中央にビス挿入孔１５が形成されており、ビス挿入孔１５を通して水平下地材３のビス孔にビス２０をネジ入れて固定するものである。平板部１４は、立ち上がり部１３の幅方向における平板部１４の両側からそれぞれ係止部１６が延びて形成されている。固定部１２及び立ち上がり部１３の幅は、床パネル４の目地間隔と等しいか又は目地間隔よりも短く形成されている。
【００２０】
また、床パネル４は、図３及び図７に示すように、例えば樹脂材料を中空で矩形平板状に押出成形で形成しており、長辺側の平行な２つの側面にそれぞれ溝１７を有している。床パネル４はパネル固定金具１ａの係止部１６が当該床パネル４の溝１７に挿入されることによって、互いに目地間隔を開けて水平下地材３に固定される。
【００２１】
パネル固定金具１ａは、図３及び図４（Ａ）に示すように、水平下地材３の４枚の床パネル４の角部同士が突合せられる位置に固定される。すなわち、パネル固定金具１ａの２つの平板部１４から延びる４つの係止部１６はそれぞれ異なる床パネル４の角部に位置する溝１７を係止する。したがって、パネル固定金具１ａは４枚の床パネル４の角部をそれぞれ係止することができ、少ないパネル固定金具１ａの数で床パネル４を固定することができる。
【００２２】
また、床パネル４の突き合わせ部のうち、図４（Ｂ）及び図５に示すように、３つの床パネル４の角部と１つの点検用パネル１１が突合せられる部分には、パネル固定金具１ａの４つの係止部１６のうち点検用パネル１１側となる１つの係止部１６を切断して形成した点検部パネル固定金具１ｂが固定される。そして、図４（Ｃ）及び図６に示すように、２つの床パネル４の角部と２つの点検用パネル１１が突合せられる部分には、パネル固定金具１ａの４つの係止部１６のうち点検用パネル１１側となる２つの係止部１６を切断して形成した点検部パネル固定金具１ｂが固定される。点検用パネル１１はパネル固定金具１ａの係止部１６に係止されることがないので、単に水平下地材３の上に載置される状態となり、簡単に取り外すことができる。なお、本実施形態においては、点検部パネル固定金具１ｂは、点検用パネル１１側の係止部１６を切断して形成しているが、予め点検用パネル１１側の係止部１６を欠いて形成していてもよい。
【００２３】
このように、係止部１６が立ち上がり部１３の幅方向における平板部１４の両側から延びているので、係止部１６を簡単に切り離すことができる形状であり、係止部１６を切り離すだけで点検部パネル固定金具１ｂを形成することができるので、簡単に点検口を設けることができる構造とすることができる。
【００２４】
上述のように構成される床構造２を施工する床施工方法は、まず、図７に示すように、水平下地材３の最も建物側の端部に端部用金具１８を固定する。端部用金具１８は、水平下地材３の端部に固定されるとともに当該水平下地材３の端部から上方に立ち上がり、先端に水平方向且つ建物と反対側に突出する水平突出片１９が形成されている。そして、次に、床パネル４をその側面に形成された溝１７が水平突出片１９に係止されるように床パネル４を水平下地材３の上に配置する。そして、次に、図３及び図７に示すように、水平下地材３の４枚の床パネル４の角部同士が突合せられる位置にパネル固定金具１ａをビス２０で固定する。このとき図８に示すように、パネル固定金具１ａの係止部１６のうち、床パネル４が配置されている側の２つの係止部１６を床パネル４の溝１７に挿入することで、当該床パネル４の溝１７を係止する。
【００２５】
そして、次に、図９に示すように、水平下地材３に固定された最も建物側の床パネル４の隣に目地間隔を開けて隣接する床パネル４を配置する。このとき、新たに配置する床パネル４の一方の溝１７が建物側のパネル固定金具１ａの係止部１６に係止されるように当該床パネル４を水平下地材３の上に配置する。そして、更に、図１０に示すように、床パネル４の他方の溝１７にパネル固定金具１ａの係止部１６を挿入させつつ、当該パネル固定具を水平下地材３の床パネル４の角部同士が突合せられる位置にビス２０で固定し、その後、床パネル４とパネル固定具を順に水平下地材３の上に固定する工程を繰り返す。
【００２６】
そして、図５及び図６に示すように、点検用パネル１１の角部が配置される位置に固定されるパネル固定金具１ａを、当該点検用パネル１１側となる１つ又は２つの係止部１６を切断して点検部パネル固定金具１ｂを形成する。そして、図１１に示すように、当該点検部パネル固定金具１ｂを切断されていない係止部１６が床パネル４の溝１７に挿入されるように水平下地材３にビス２０固定するとともに、床パネル４に隣接して点検用パネル１１を水平下地材３の上に載置する。そして、点検用パネル１１に隣接させて、見切り材２１を水平下地材３に固定して床構造２を完成させる。
【００２７】
点検用パネル１１は両側の溝１７がいずれもパネル固定金具１ａの係止部１６に係止されておらず、水平下地材３に載置されているだけであるので、図１２に示すように、単に点検用パネル１１を持ち上げるだけで点検口を形成することができる。
【００２８】
以上のように、本実施形態のパネル固定金具１ａ、床構造２、及び床施工方法によると、１つのパネル固定金具１ａで４つの床パネル４の角部を係止することができ、また、点検用パネル１１が配置される位置の点検部パネル固定金具１ｂは、係止部１６を切断して形成する構成とすると、係止部１６を切断するだけで床パネル４と同じ点検用パネル１１を開閉自在に形成することができ、施工が容易となり、又、部品点数を減らすことができる。
【００２９】
なお、本発明の実施の形態は上述の実施形態に限ることなく、本発明の思想の範囲を逸脱しない範囲で適宜変更することができることは云うまでもない。
【産業上の利用可能性】
【００３０】
本発明に係るパネル固定金具１ａ、床構造２、及び床施工方法は、例えばバルコニー、ベランダ、テラスなどの屋外部の床を構成する金具、床構造２及び施工方法として好適に用いることができる。
【符号の説明】
【００３１】
１ａ    パネル固定金具
１ｂ    点検部パネル固定金具
２      床構造
３      水平下地材
４      床パネル
１１    点検用パネル
１２    固定部
１３    立ち上がり部
１４    平板部
１６    係止部
１７    溝
【図１】
2018199972.tif 000003
【図２】
2018199972.tif 000004
【図３】
2018199972.tif 000005
【図４】
2018199972.tif 000006
【図５】
2018199972.tif 000007
【図６】
2018199972.tif 000008
【図７】
2018199972.tif 000009
【図８】
2018199972.tif 000010
【図９】
2018199972.tif 000011
【図１０】
2018199972.tif 000012
【図１１】
2018199972.tif 000013
【図１２】
2018199972.tif 000014
【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
平行に並べられる複数本の水平下地材に、複数枚の床パネルをその長辺方向及び短辺方向にそれぞれ互いに目地間隔を開けて並べた状態で固定するパネル固定金具であって、
前記水平下地材に固定される固定部と、前記固定部の両側端からそれぞれ立ち上がる２つの立ち上がり部と、前記立ち上がり部の上端に前記固定部と逆向きにそれぞれ突出する２つの平板部と、を備え、
前記立ち上がり部が前記長辺方向又は前記短辺方向のいずれか一方の前記目地間隔よりも短い幅に形成されるとともに、当該２つの立ち上がり部の間の距離が他方の前記目地間隔よりも長く形成されており、
前記立ち上がり部の幅方向における前記平板部の両側からそれぞれ前記立ち上がり部の幅よりも延びて前記床パネルの側面に形成された溝を係止する係止部を有することを特徴とするパネル固定金具。
【請求項２】
平行に並べられる複数本の水平下地材と、
矩形平板状に形成されており、平行な２つの側面にそれぞれ溝を有し、前記水平下地材
の上に長辺方向及び短辺方向にそれぞれ互いに目地間隔を開けて並べた状態で固定される複数枚の床パネルと、
前記水平下地材に固定される固定部と、前記固定部の両側端からそれぞれ立ち上がる２つの立ち上がり部と、前記立ち上がり部の上端に前記固定部と逆向きにそれぞれ突出する２つの平板部と、を有するパネル固定金具と、
を備えた床構造であって、
前記立ち上がり部が前記長辺方向又は前記短辺方向のいずれか一方の前記目地間隔よりも短い幅に形成され、且つ、２つの立ち上がり部の間の距離が他方の前記目地間隔よりも長く、
前記立ち上がり部の幅方向における前記平板部の両側にそれぞれ前記立ち上がり部の幅よりも延びて前記溝を係止する係止部を有し、当該係止部がそれぞれ異なる前記床パネルの前記溝を係止して前記目地を形成し、
前記パネル固定金具は前記床パネルの角部同士の突合せ部に配置されており、前記係止部は、それぞれ異なる前記床パネルの前記溝を係止することを特徴とする床構造。
【請求項３】
前記パネル固定金具は４枚の前記床パネルの角部同士の突合せ部に配置されることを特徴とする請求項２に記載の床構造。
【請求項４】
前記水平下地材の上に前記床パネルと目地間隔を開けて並べて配置される点検用パネルを更に備えるとともに、
前記床パネルと前記点検用パネルとの突合せ部に、前記パネル固定金具の前記点検用パネル側の前記係止部を欠いて形成した点検用パネル非固定金具が設けられることを特徴とする請求項２又は請求項３に記載の床構造。
【請求項５】
平行に並べられる複数本の水平下地材の上に、
請求項１に記載のパネル固定金具を固定し、
前記パネル固定金具の両側に、側面に溝を有する矩形平板状の床パネルの角部を配置し、それぞれの前記係止部に異なる前記床パネルの前記溝を係止して目地を形成することを特徴とする床施工方法。
【手続補正２】
【補正対象書類名】明細書
【補正対象項目名】０００６
【補正方法】変更
【補正の内容】
【０００６】
本発明のパネル固定金具は、平行に並べられる複数本の水平下地材に、複数枚の床パネルをその長辺方向及び短辺方向にそれぞれ互いに目地間隔を開けて並べた状態で固定するパネル固定金具であって、前記水平下地材に固定される固定部と、前記固定部の両側端からそれぞれ立ち上がる２つの立ち上がり部と、前記立ち上がり部の上端に前記固定部と逆向きにそれぞれ突出する２つの平板部と、を備え、前記立ち上がり部が前記長辺方向又は前記短辺方向のいずれか一方の前記目地間隔よりも短い幅に形成されるとともに、当該２つの立ち上がり部の間の距離が他方の前記目地間隔よりも長く形成されており、前記立ち上がり部の幅方向における前記平板部の両側からそれぞれ前記立ち上がり部の幅よりも延びて前記床パネルの側面に形成された溝を係止する係止部を有することを特徴としている。
【手続補正３】
【補正対象書類名】明細書
【補正対象項目名】０００７
【補正方法】変更
【補正の内容】
【０００７】
本発明の床構造は、平行に並べられる複数本の水平下地材と、矩形平板状に形成されており、平行な２つの側面にそれぞれ溝を有し、前記水平下地材の上に長辺方向及び短辺方向にそれぞれ互いに目地間隔を開けて並べた状態で固定される複数枚の床パネルと、前記水平下地材に固定される固定部と、前記固定部の両側端からそれぞれ立ち上がる２つの立ち上がり部と、前記立ち上がり部の上端に前記固定部と逆向きにそれぞれ突出する２つの平板部と、を有するパネル固定金具と、を備えた床構造であって、前記立ち上がり部が前記長辺方向又は前記短辺方向のいずれか一方の前記目地間隔よりも短い幅に形成され、且つ、２つの立ち上がり部の間の距離が他方の前記目地間隔よりも長く、前記立ち上がり部の幅方向における前記平板部の両側にそれぞれ前記立ち上がり部の幅よりも延びて前記溝を係止する係止部を有し、当該係止部がそれぞれ異なる前記床パネルの前記溝を係止して前記目地を形成し、前記パネル固定金具は前記床パネルの角部同士の突合せ部に配置されており、前記係止部は、それぞれ異なる前記床パネルの前記溝を係止することを特徴としている。
【手続補正４】
【補正対象書類名】明細書
【補正対象項目名】０００８
【補正方法】変更
【補正の内容】
【０００８】
本発明の床構造は、前記パネル固定金具は４枚の前記床パネルの角部同士の突合せ部に配置されることを特徴としている。
【手続補正５】
【補正対象書類名】明細書
【補正対象項目名】０００９
【補正方法】変更
【補正の内容】
【０００９】
本発明の床構造は、前記水平下地材の上に前記床パネルと目地間隔を開けて並べて配置される点検用パネルを更に備えるとともに、前記床パネルと前記点検用パネルとの突合せ部に、前記パネル固定金具の前記点検用パネル側の前記係止部を欠いて形成した点検用パネル非固定金具が設けられることを特徴としている。
【手続補正６】
【補正対象書類名】明細書
【補正対象項目名】００１０
【補正方法】変更
【補正の内容】
【００１０】
本発明の床施工方法は、平行に並べられる複数本の水平下地材の上に、上記のパネル固定金具を固定し、前記パネル固定金具の両側に、側面に溝を有する矩形平板状の床パネルの角部を配置し、それぞれの前記係止部に異なる前記床パネルの前記溝を係止して目地を形成することを特徴としている。
【手続補正７】
【補正対象書類名】明細書
【補正対象項目名】００１４
【補正方法】変更
【補正の内容】
【００１４】
本発明の床構造によると、水平下地材の上に前記床パネルと目地間隔を開けて並べて配置される点検用パネルを更に備えるとともに、床パネルと点検用パネルとの突合せ部に、パネル固定金具の点検用パネル側の係止部を欠いて形成した点検用パネル非固定金具が設けられるので、単にパネル固定金具の係止部を欠いて形成するだけで点検口を設けることができる。
【手続補正８】
【補正対象書類名】明細書
【補正対象項目名】００１６
【補正方法】変更
【補正の内容】
【００１６】
【図１】床構造の全体構成を示す断面図。
【図２】パネル固定金具の外観構成を示す斜視図。
【図３】パネル固定金具及び点検用パネル非固定金具を用いて水平下地材に床パネル及び点検用パネルを配置する状態を示す平面図。
【図４】図３のＡ部、Ｂ部、及びＣ部拡大図。
【図５】パネル固定金具の１つの係止部を切断して点検用パネル非固定金具を形成する状態を示す図。
【図６】パネル固定金具の２つの係止部を切断して点検用パネル非固定金具を形成する状態を示す図。
【図７】水平下地材の最も建物側の端部に固定した端部用金具の水平突出片に床パネルの溝を係止する状態を示す図。
【図８】床パネルが設置されている側のパネル固定金具の係止部を床パネルの溝に挿入して床パネルの溝を係止する状態を示す図。
【図９】水平下地材に固定された最も建物側の床パネル４の隣に目地間隔を開けて隣接する床パネルを配置する状態を示す図。
【図１０】床パネルの係止されていない側の溝にパネル固定金具の係止部を挿入させつつ、パネル固定具を水平下地材に固定する状態を示す図。
【図１１】点検用パネル非固定金具の係止部が床パネルの溝に挿入されるように水平下地材に固定するとともに、床パネルに隣接して点検用パネルを水平下地材の上に載置する状態を示す図。
【図１２】図１１の状態で、点検用パネルを持ち上げて点検口を形成する状態を示す図。
【手続補正９】
【補正対象書類名】明細書
【補正対象項目名】００２２
【補正方法】変更
【補正の内容】
【００２２】
また、床パネル４の突き合わせ部のうち、図４（Ｂ）及び図５に示すように、３つの床パネル４の角部と１つの点検用パネル１１が突合せられる部分には、パネル固定金具１ａの４つの係止部１６のうち点検用パネル１１側となる１つの係止部１６を切断して形成した点検用パネル非固定金具１ｂが固定される。そして、図４（Ｃ）及び図６に示すように、２つの床パネル４の角部と２つの点検用パネル１１が突合せられる部分には、パネル固定金具１ａの４つの係止部１６のうち点検用パネル１１側となる２つの係止部１６を切断して形成した点検用パネル非固定金具１ｂが固定される。点検用パネル１１はパネル固定金具１ａの係止部１６に係止されることがないので、単に水平下地材３の上に載置される状態となり、簡単に取り外すことができる。なお、本実施形態においては、点検用パネル非固定金具１ｂは、点検用パネル１１側の係止部１６を切断して形成しているが、予め点検用パネル１１側の係止部１６を欠いて形成していてもよい。
【手続補正１０】
【補正対象書類名】明細書
【補正対象項目名】００２３
【補正方法】変更
【補正の内容】
【００２３】
このように、係止部１６が立ち上がり部１３の幅方向における平板部１４の両側から延びているので、係止部１６を簡単に切り離すことができる形状であり、係止部１６を切り離すだけで点検用パネル非固定金具１ｂを形成することができるので、簡単に点検口を設けることができる構造とすることができる。
【手続補正１１】
【補正対象書類名】明細書
【補正対象項目名】００２６
【補正方法】変更
【補正の内容】
【００２６】
そして、図５及び図６に示すように、点検用パネル１１の角部が配置される位置に固定されるパネル固定金具１ａを、当該点検用パネル１１側となる１つ又は２つの係止部１６を切断して点検用パネル非固定金具１ｂを形成する。そして、図１１に示すように、当該点検用パネル非固定金具１ｂを切断されていない係止部１６が床パネル４の溝１７に挿入されるように水平下地材３にビス２０固定するとともに、床パネル４に隣接して点検用パネル１１を水平下地材３の上に載置する。そして、点検用パネル１１に隣接させて、見切り材２１を水平下地材３に固定して床構造２を完成させる。
【手続補正１２】
【補正対象書類名】明細書
【補正対象項目名】００２８
【補正方法】変更
【補正の内容】
【００２８】
以上のように、本実施形態のパネル固定金具１ａ、床構造２、及び床施工方法によると、１つのパネル固定金具１ａで４つの床パネル４の角部を係止することができ、また、点検用パネル１１が配置される位置の点検用パネル非固定金具１ｂは、係止部１６を切断して形成する構成とすると、係止部１６を切断するだけで床パネル４と同じ点検用パネル１１を開閉自在に形成することができ、施工が容易となり、又、部品点数を減らすことができる。
【手続補正１３】
【補正対象書類名】明細書
【補正対象項目名】００３１
【補正方法】変更
【補正の内容】
【００３１】
１ａ    パネル固定金具
１ｂ    点検用パネル非固定金具
２      床構造
３      水平下地材
４      床パネル
１１    点検用パネル
１２    固定部
１３    立ち上がり部
１４    平板部
１６    係止部
１７    溝